(57)【要約】【課題】  ディスプレイ上に透過性のタッチパネルを有する入力装置において、入力を容易にする。【解決手段】  ディスプレイ上に透過性のタッチパネルを有する入力装置において、指の接近を検知する手段を備え、タッチパネルに指が接近すると、現在表示中の内容を、拡大表示する。【選択図】図１
2007280316.tif 000002
【特許請求の範囲】
【請求項１】
入力装置であって、
ディスプレイと、
前記ディスプレイの前面に配置された透過性のタッチパネルと、
前記タッチパネルへの物体の接近を検知する接近検知手段と
前記接近検知手段により物体の接近を検知した場合、前記ディスプレイに表示中の内容の少なくとも一部を拡大表示する表示制御手段と
を備えることを特徴とする入力装置。
【請求項２】
請求項１において、
前記表示制御手段は、
前記ディスプレイに表示中の情報の中から選択の対象となる情報を抽出し、
抽出した情報に関する表示を拡大表示する
ことを特徴とする入力装置。
【請求項３】
請求項１において、
前記表示制御手段は、
前記ディスプレイに選択肢として表示されている表示物を拡大表示する
ことを特徴とする入力装置。
【請求項４】
入力装置であって、
ディスプレイと、
前記ディスプレイの前面に配置された透過性のタッチパネルと、
前記タッチパネルへ接近する物体の位置を検知する接近検知手段と
前記接近検知手段により検知した物体の位置に応じて、前記ディスプレイに表示中の内容の少なくとも一部を拡大表示する表示制御手段と
を備えることを特徴とする入力装置。
【請求項５】
請求項４において、
前記表示制御手段は、
前記検知した物体の位置に対応する前記ディスプレイに表示中の表示内容の近辺の表示内容は、拡大表示し、その周辺の表示内容は、そのまま表示する
ことを特徴とする入力装置。
【発明の詳細な説明】
【技術分野】
【０００１】
本発明は、タッチパネルを備えた入力装置に関する。
【背景技術】
【０００２】
操作者から、表示画面の前面に設けられた透過性のタッチパネルを介して、入力を受け付ける車載用ナビゲーション装置がある（非特許文献１参照）。
【０００３】
【非特許文献１】特許庁  標準技術集「ナビゲーション装置のユーザインターフェース」主分類：４−Ｃ  タッチパネル
【発明の開示】
【発明が解決しようとする課題】
【０００４】
しかし、表示画面に表示されたタッチしようとする候補の表示が小さいと、その候補を的確にタッチするのは難しい。
【０００５】
本発明の目的は、タッチパネルを備える入力装置において、入力を容易にすることにある。
【課題を解決するための手段】
【０００６】
上記課題を解決すべく本発明の入力装置は、ディスプレイと、前記ディスプレイの前面に配置された透過性のタッチパネルと、前記タッチパネルへの物体の接近を検知する接近検知手段と、前記接近検知手段により物体の接近を検知した場合、前記ディスプレイに表示中の内容の少なくとも一部を拡大表示する表示制御手段とを備える。
【０００７】
前記表示制御手段は、前記ディスプレイに選択肢として表示されている表示物を拡大表示するようにしてもよい。
【０００８】
また、前記接近検知手段は、前記タッチパネルへ接近する物体の位置を検知するようにしてもよい。そして、前記表示制御手段は、前記接近検知手段により検知した物体の位置に応じて、前記ディスプレイに表示中の内容の少なくとも一部を拡大表示するようにしてもよい。
【０００９】
また、前記表示制御手段は、前記検知した物体の位置に対応する前記ディスプレイに表示中の表示内容の近辺の表示内容は、拡大表示し、その周辺は、そのまま表示するようにしてもよい。
【発明を実施するための最良の形態】
【００１０】
以下に、本発明の一実施形態について、図面を参照して説明する。
【００１１】
図１は、本発明一実施形態が適用された車載情報装置の外観構成を示す。この装置は、ナビゲーションユニット１０と、地図等を表示するディスプレイ２１と、ユーザからの入力を受け付けるスイッチユニット２２と、車両の現在位置を出力するＧＰＳ(Global Positioning System)受信器と、ＣＤやＤＶＤ等の記録媒体に格納された地図情報等を読み出す外部記憶装置４０とを備える。
【００１２】
ナビゲーションユニット１０は、スイッチユニット２２からの操作に応じて外部記憶装置４０から地図データを読み出し、ＧＰＳ受信器３０から得られた位置情報と合わせてディスプレイ２１に地図表示する。
【００１３】
図２は、ナビゲーションユニット１０の機能ブロック図である。ナビゲーションユニット１０は、ユーザ操作解析部１１と、記憶部１２と、ナビゲーション処理部１３と、現在位置算出部１４と、表示処理部１５とを有する。
【００１４】
ユーザ操作解析部１１は、スイッチユニット２２を介して入力されたユーザからの要求を受け付け、その要求内容を解析して、その要求内容に対応する処理が実行されるようにナビゲーションユニット１０の各部を制御する。
【００１５】
記憶部１２は、ナビゲーション処理部１３により探索された経路を記憶する。また、現在位置算出部１４から求められた車両の移動の軌跡を蓄積する。
【００１６】
ナビゲーション処理部１３は、現在位置から目的地までの経路を探索する。また、探索した経路を用いて経路誘導のための情報を生成し、その情報を用いてディスプレイ２１を介して経路誘導を行う。
【００１７】
現在位置算出部１４は、ＧＰＳ受信器３０からの出力と外部記憶装置４０に記憶されている地図データからマップマッチングにより現在位置を算出する。
【００１８】
表示処理部１５は、ディスプレイ２１への表示のためのコマンドを生成し、ディスプレイ２１に送る。例えば、表示が要求される領域にある地図データを外部記憶装置４０から受け取り、指定された縮尺、描画方式で、道路、その他の地図構成物や、現在地、目的地、誘導経路のための矢印といったマークを描画するように地図描画コマンドを生成する。そして、生成したコマンドを、ディスプレイ２１に送信する。
【００１９】
なお、ナビゲーションユニット１０は、ＣＰＵと、プログラムおよびデータを記憶するＲＯＭ，ＲＡＭ等のメモリにより構成される。また、図２で示した各機能部は、ＣＰＵが、メモリにロードされたプログラムを実行することにより達成される。
【００２０】
図１に戻って説明する。ディスプレイ２１は、液晶ディスプレイなどの薄型ディスプレイで構成される。
【００２１】
図３は、スイッチユニット２２の断面図である。
【００２２】
図示するように、スイッチユニット２２は、ディスプレイ２１の前面に配置されている。スイッチユニット２２は、方形開口を有するスイッチユニット基板２２２を備える。スイッチユニット基板２２２には、タッチパネル２２１が設置されている。
【００２３】
タッチパネル２２１は、ディスプレイ２１の表示内容を透過するようになっている。タッチパネル２２１は、指によりタッチされると、タッチされた位置のパネル上の座標を出力する。タッチパネル２２１は、静電容量を利用するものや、抵抗値の変化を利用するものを用いることができる。
【００２４】
スイッチユニット基板２２２には、タッチパネル２１にタッチしようとする指（物体）の接近を検知するため、発光ダイオード（ＬＥＤ）２２３と、その発光ダイオードから放射された光を受光するフォトダイオード（フォトディテクタ：ＰＤ）２２４とが配置されている。
【００２５】
図４は、スイッチユニット基板２２２の平面図である。なお、図４では、スイッチ基板２２２を覆うケース２２５を省略している。
【００２６】
発光ダイオード２２３及びフォトダイオード２２４は、図示するように、スイッチユニット基板２２２の方形開口の内部に向けて、水平方向および垂直方向の両方向にアレイとなって対向配置されている。このように配置するのは、指が接近した場合に、その指の位置を求めるためである。
【００２７】
（動作の説明）次に、上記のように構成される車載情報装置の動作について説明する。
【００２８】
図５は、車載情報装置がディスプレイ２１に情報を表示しているときに行う処理の流れを示すフロー図である。
【００２９】
まず、ユーザ操作解析部１１は、指の接近を監視する。具体的には、いずれかのフォトダイオード２２４が、発光ダイオード２２３からの光を受光しない状態となったか否かによって、指の接近を判断する（Ｓ１１０）。
【００３０】
指の接近が検出されると（Ｓ１１０でＹｅｓ）、ユーザ操作解析部１１は、指の位置を求める（Ｓ１２０）。指の位置は、どの発光ダイオード２２３からの光が遮断されたかにより求めることができる。例えば、図４の例で、発光ダイオードＸ４及びＹ５の光が遮断された場合、指は、発光ダイオードＸ４の放射方向と及び発光ダイオードＹ４の放射方向の交点にあると判断できる。
【００３１】
つぎに、ユーザ操作解析部１１は、表示処理部１５に、現在表示している表示内容を拡大表示するように指示する。これを受けて、表示処理部１５は、現在表示している表示内容を拡大表示する（Ｓ１３０）。
【００３２】
図６（Ａ）は、指が接近する前の画面５００の表示例である。図示するように、地図５３０とともに、複数の選択肢５２０からなるメニューが表示されている。
【００３３】
この状態において、指の接近を検知すると、表示処理部１５は、図６（Ｂ）に示すように、選択肢５２０ａを拡大表示する。図中、Ｐは、接近した指の位置を示す。本実施形態では、指位置Ｐを中心として拡大表示するようにしている。また、タッチされる候補となりうる選択肢５２０ａを抽出し、拡大表示し、タッチされる候補とならない他の情報（地図５３０）は、拡大表示せずに、そのまま表示することとしている。なお、選択肢は、テキストで表示したものであってもよいし、記号、図形などのアイコンで表示してものであってもよい。
【００３４】
タッチパネル２２１は、指によりタッチされると、その座標情報をナビゲーションユニット１０に送る。ユーザ操作解析部１１は、その座標位置から、いずれの選択肢５２０が選択されたかを判定し、選択された内容の処理が実行されるように各機能部に指示することになる。
【００３５】
図５に戻って説明する。指の接近により、表示内容（表示物）を拡大表示すると、ユーザ操作解析部１１は、指の接近を引き続き検知中か否か判定する（Ｓ１４０）。指の接近を検知中の場合（Ｓ１４０でＹｅｓ）、拡大表示を継続する。
【００３６】
一方、指の接近を検知しなくなった場合、すなわち、指により遮断されていた光をフォトダイオード２２４が受光することとなった場合（Ｓ１４０でＮｏ）、ユーザ操作解析部１１は、表示内容の拡大表示を終了し、元の表示状態に戻すように、表示処理部１５に指示する。これを受けて、表示処理部１５は、表示内容の表示状態を、元の状態に戻す。図６においては、（Ａ）の表示状態に戻ることになる。
【００３７】
そして、ユーザ操作解析部１１は、Ｓ１１０に戻り、再び、指の接近を監視する。
【００３８】
以上、ディスプレイ２１に情報を表示している場合における、ユーザの指がタッチパネル２２１に接近した場合の処理について説明した。
【００３９】
なお、表示内容の拡大の方法は、次のようにしてもよい。
【００４０】
例えば、図６の例では、選択肢の全てを拡大表示したが、これに限らず、指の位置に対応する選択肢（メニュー項目）のみを拡大表示し、他の選択肢は、そのまま表示するようにしてもよい。また、そのまま拡大表示するのではなく、指位置Ｐの位置のメニュー項目のみを、他のメニュー項目に比べて、太く表示するようにしてもよい。
【００４１】
図７は、接近した指の位置Ｐを中心に、表示されている内容の全体を拡大する場合の例を示す。図示するように、表示処理部１５は、タッチされる候補である選択肢５２０とともに、背景の地図情報４３０も拡大表示している（図７（Ｂ））。
【００４２】
図８は、目的地の設定などにおいて、地図を表示中の場合である。かかる場合、地図の全体が選択される候補であり、指の接近を検知すると、接近した指の位置Ｐを中心に地図を拡大表示する。図示するように、表示処理部１５は、接近した指の位置Ｐを中心に地図を拡大表示している（図８（Ｂ））。
【００４３】
図９は、同様に、地図の表示中において、指の接近を検知すると、接近した指の位置Ｐを中心に、表示中の地図を部分的に拡大表示するようにした場合の例である。図示するように、表示処理部１５は、接近した指の位置Ｐを中心に、地図５３５を部分的に拡大表示している（図９（Ｂ））。このようにすれば、拡大表示されない周辺の部分も同時に表示されるので、現在どの部分を拡大表示しているのかが一目瞭然となる。
【００４４】
これらの拡大の方法のうち、いずれの方法で拡大表示するかは、予め定めていてもよいし、ユーザからの要求を受け付けて、要求に応じて設定できるようにしてもよい。
【００４５】
以上、本発明の一実施形態について説明した。
【００４６】
上記実施形態によれば、ディスプレイ上に透過性のタッチパネルを備える入力装置において、元の表示物（アイコンなど）が小さい場合でも入力が容易になる。
【００４７】
また、最初から表示を大きくするのではなく、指の接近により、表示を拡大するので、表示する情報の量を減少させない。
【００４８】
本発明は、上記実施形態に制限されることなく、本発明の要旨の範囲内でさまざまな変形が可能である。
【００４９】
例えば、指の接近を検知する方法は、上記実施形態で説明した方法に限られない。タッチパネルに向かって接近する指（物体）を検知できる方法であればよい。例えば、赤外線センサにより、指の接近を検知するようにしてもよい。
【００５０】
また、上記実施形態では、入力装置として、ディスプレイ２１の前面に設けられたスイッチユニット２２を備える場合について説明したが、キーボード、ジョイスティック、リモコン、音声入力装置など、他の入力装置を同時に有していてもよい。
【００５１】
また、本発明を車載用のナビゲーション装置に適用した例について説明したが、本発明は車載用以外のナビゲーション装置に適用することができる。また、ナビゲーション装置以外の、オーディオ装置、放送出力装置などの情報出力装置にも適用することができる。
【図面の簡単な説明】
【００５２】
【図１】図１は、車載情報装置の概略構成図である。
【図２】図２は、ナビゲーションユニットの機能構成を示す図である。
【図３】図３は、スイッチユニットの断面図である。
【図４】図４は、スイッチユニットの平面図である。
【図５】図５は、動作の流れのフロー図である。
【図６】図６は、表示画面の遷移の例である。
【図７】図７は、表示画面の遷移の例である。
【図８】図８は、表示画面の遷移の例である。
【図９】図９は、表示画面の遷移の例である。
【符号の説明】
【００５３】
１０…ナビゲーションユニット、
２１…ディスプレイ、２２…スイッチユニット、
３０…ＧＰＳ受信器
４０…外部記憶装置
１１…ユーザ操作解析部、１２…記憶部、１３…ナビゲーション装置、１４…現在位置算出部、１５…表示処理部
【図１】
2007280316.tif 000003
【図２】
2007280316.tif 000004
【図３】
2007280316.tif 000005
【図４】
2007280316.tif 000006
【図５】
2007280316.tif 000007
【図６】
2007280316.tif 000008
【図７】
2007280316.tif 000009
【図８】
2007280316.tif 000010
【図９】
2007280316.tif 000011